(57)【特許請求の範囲】
【請求項１】
複数の記憶エリアのそれぞれにデータを記憶する記憶手段と、
前記複数の記憶エリアのそれぞれに対応する複数の標識を表示させる第１の表示制御手段と、
この第１の表示制御手段の制御により表示された複数の標識のうち、任意の標識を操作に応じて選択する操作手段と、
前記標識表示制御手段の制御により複数の標識が表示された状態で、前記操作手段によって選択された標識に対応する記憶エリアに関する情報とこの情報を強調する画像とを表示させる第２の表示制御手段とを備え、
前記画像は、挿絵、図形又はこれらの組み合わせからなり、前記挿絵は、人又は事物の形象或いは前記情報を囲む吹出しを含む囲みマークであることを特徴する画像処理装置。
【請求項２】
前記第２の表示制御手段は、前記情報を表示させるための表示エリアと前記画像を表示させるための表示エリアとを少なくとも一部重ね合わせて表示させることを特徴とする請求項１に記載の画像処理装置。
【請求項３】
前記形象は、動画であることを特徴とする請求項１に記載の画像処理装置。
【請求項４】
前記画像は、前記標識とは異なる色彩で表示される画像であることを特徴とする請求項１に記載の画像処理装置。
【請求項５】
前記標識、前記情報及び前記画像を表示する表示手段を更に備えたことを特徴とする請求項１に記載の画像処理装置。
【発明の詳細な説明】
【０００１】
【産業上の利用分野】
この発明は、画像及び文字や記号（文字等）を処理する画像処理装置に関する。
【０００２】
【従来の技術】
電子手帳やワープロ等の画像処理装置においては、文字等や画像のデータからなるファイルをディスプレイの画面で編集し、ＲＡＭ等のメモリの所定の記憶エリアに記録したり、プリンタで印刷したり、メモリに記録されているファイルを呼び出す処理が行われる。ところで、こうした装置ではファイル処理（セーブ、ロード等）の操作をよりやり易くするために、各ファイルのそれぞれに対応するアイコンと称する標識をメニュー画面として表示させることができる。このような装置においては、文字等からなるファイルの名称を入力することなく、画面操作によりファイル処理を行うことができるので操作が容易である。例えば、ファイルをメモリから呼び出す場合には、操作に応じてディスプレイの画面内を移動する選択カーソルによってメニュー画面の複数のアイコンの中のひとつを選択し、そのアイコンに対応する記憶エリアのファイルを呼び出して画面に表示させ、編集や印刷等の処理を行うことができる。
【０００３】
【発明が解決しようとする課題】
しかしながら上記従来の画像処理装置においては、メニュー画面に表示されている各アイコンに対応する記憶エリアにファイルが記録されているか、記憶エリアにファイルを記録することが可能か等の記憶エリアの状態を判別することができなかった。このため、ユーザは、ファイルが記録されていない記憶エリアからファイルを呼び出そうとしたり、ファイルを記録することができない記憶エリアにファイルを記録しようとしたりという誤ったアイコン選択をすることがあった。このため、誤った操作をするたびにその都度メニュー画面に切り替えてアイコン選択をやり直さねばならず、煩雑な操作を余儀なくされるという問題があった。また、アイコン選択のミスにより保存すべきファイルが記録されている記憶エリアに他のファイルを記録してしまい、その保存すべきファイルが消去されるというトラブルが発生するという問題もあった。
この発明の目的は、画面に表示された複数の標識のうち、選択された標識に対応する記憶エリアに関する情報を確実に認識させることができる画像処理装置を提供することである。
【０００４】
【課題を解決するための手段】
この発明は、複数の記憶エリアのそれぞれにデータを記憶する記憶手段と、前記複数の記憶エリアのそれぞれに対応する複数の標識を表示させる第１の表示制御手段と、この第１の表示制御手段の制御により表示された複数の標識のうち、任意の標識を操作に応じて選択する操作手段と、前記標識表示制御手段の制御により複数の標識が表示された状態で、前記操作手段によって選択された標識に対応する記憶エリアに関する情報とこの情報を強調する画像とを表示させる第２の表示制御手段とを備え、前記画像は、挿絵、図形又はこれらの組み合わせからなり、前記挿絵は、人又は事物の形象或いは前記情報を囲む吹出しを含む囲みマークであることを特徴する。
【０００５】
【作用】
この発明によれば、表示された複数の標識のうち、任意の標識が選択された場合には、その選択された標識に対応する記憶エリアに関する情報とこの情報を強調する画像とを表示するので、文字等のみによる通常の画一的な表示に比べてユーザの注意を強く喚起させ、選択した標識に対応する記憶エリアに関する情報を確実に認識させることができる。
【０００６】
【実施例】
以下、図１〜図１８を参照してこの発明の一実施例を説明する。
まず、この実施例の構成について説明する。
図１は実施例のシステム構成を示す外観図である。図において、本体１は画像処理機能を有するとともに印刷機能を備えている。ＲＯＭ（記憶手段）２は本体１に挿脱自在に挿入されるカセットタイプの読み出し専用メモリであり、アプリケーションプログラム（以下、単にプログラムという）や画像処理に用いるパーツ画像データその他の各種データ（これらのデータについては後述する）が記録されている。操作パッド（操作手段）３は本体１に接続され、画像処理その他の制御動作を指示する。この操作パッド３には十字キー４、決定キー５及び解除キー６が設けられている。外部表示装置７は本体１に接続される一般的なテレビ受像機であり、ディスプレイ（表示手段）８及びスピーカ９を備えている。
【０００７】
図２は図１のシステム構成のブロック図である。ＣＰＵ（制御手段）１０はＲＯＭ２及び操作パッド３に接続され、ＲＯＭ２からプログラム等を読み込むとともに、操作パッド３からの指令に基づいて画像処理その他の制御動作を行う。処理する画像データとしては、例えば人や物の形を示す画像データがある。ＲＡＭ（記憶手段）１１はＣＰＵ１０に接続され、ＲＯＭ２から読み込まれたプログラム等を一時的に記録するとともに、画像データ及び画像処理に必要なデータを一時的に記録するワークエリアとして用いられる。ビデオディスプレイプロセッサ（信号出力手段）１２はＣＰＵ１０に接続され、その指示に基づいて表示のための画像信号を外部表示装置７のディスプレイ８に出力する。ＶＲＡＭ１３はビデオディスプレイプロセッサ１２に接続され、ビデオディスプレイプロセッサ１２からの読み出し指令に応じてディスプレイ８の表示位置に対応するドットデータを送出し、ビデオディスプレイプロセッサ１２からの書き込み指令に応じてＣＰＵ１０から出力される画像データを記録する。プリンタ１４はＣＰＵ１０に接続され、ＲＡＭ１１に記録された画像データをＣＰＵ１０の指令に基づいて印刷する。音源１５はＣＰＵ１０に接続され、ＣＰＵ１０から出力される音声データに応じて、画像処理や表示の際に必要な警告音や音楽のための音声信号を外部表示装置７のスピーカ９に送出する。
【０００８】
図３にＲＯＭ２及びＲＡＭ１１のエリアマップを示す。
ＲＯＭ２のパーツ画像データエリア２１には、人物の画像やものの画像を構成する複数のパーツ画像データ（以下、単にパーツデータという）が記録されている。例えば、人物を構成する髪、目、鼻、服等の複数のカテゴリのパーツデータの場合、各カテゴリごとに異なる形状のパーツデータが複数記録されており、個々のパーツデータごとにパーツ番号が付されている。すなわち、各パーツ番号はパーツのカテゴリ及び形状を一義的に示す番号となっている。したがって、各カテゴリからそれぞれ１つの形状のパーツデータを選択して組み合わせることにより、異なる複数の人物の画像データを構成し、複数のパーツ番号のデータからなるファイルで画像データに対応させて管理する。
【０００９】
この実施例の場合、ＲＯＭ２のパーツ番号データエリア２２には＃０〜＃３の４個のファイルのデータを記録するエリアがあり、ＲＡＭ１１のパーツ番号データエリア２３には、＃４〜＃１５の１４個のファイルのデータを記録するエリアがある。ＲＡＭ１１のファイルアドレスデータエリア２４には、これら１６個のエリアの先頭アドレスが記録される。ＲＡＭ１１のパーツ番号ストックエリア２５には、＃０〜＃１５の１６個のファイルの中の任意の１つのファイルのパーツ番号データを一時的に記録するようになっている。ＲＡＭ１１の画像データストックエリア２６には、パーツ番号ストックエリア２５に記録されている各パーツ番号に対応するパーツデータで構成された人物等の画像データを記録する。ＲＡＭ１１のファイル属性データエリア２７には、各ファイルの内容を示すデータを記録する。
【００１０】
各ファイル属性データエリア２７は、図４に示すように、複数のビットのレジスタで構成されている。上位の１ビットが０の場合はユーザがファイルを記録できないパーツ番号データエリア（プリセットエリア）を示し、１の場合はユーザがファイル記録できるパーツ番号データエリア（ユーザエリア）を示している。次の２ビットが０、０の場合はそのエリアに記録されているファイルのパーツ番号データが人の画像データに関するものであることを示し、この２ビットが０、１の場合は記録されているファイルのパーツ番号データがものの画像データに関するものであることを示し、この２ビットが１、０の場合はそのエリアにはファイルが記録されていないことを示している。また、下位４ビットは１６のエリアを識別する番号を示している。
なお、ＣＰＵ内部処理用ワークエリア２８には、現在アイコン番号等のデータを記録する。
【００１１】
次に、この実施例の動作について説明する。
本体１及び外部表示装置７に電源が投入されるとこのシステムが起動し、ＣＰＵ１０がＲＯＭ２からプログラムをＲＡＭ１１に読み込んでこのプログラムを実行する。
図５にメインプログラムのフローチャートを示す。まず、システムの初期化のためのイニシャル処理を行い（ステップＳ１）、次いで、編集したい画像データに関するファイルを読み出すためのファイル選択処理を行う（ステップＳ２）。
【００１２】
図６にファイル選択処理のプログラムのフローチャートを示す。まず、ディスプレイ８にメニュー画面を表示させるイニシャル処理を行う（ステップＳ２１）。この場合のメニュー画面には、図７に示すように、１６個のアイコン（標識）３１、いずれかひとつのアイコンを選択するための選択カーソル３２が表示される。さらに、ユーザに対する説明文（情報）３３、並びに、この説明文３３を強調するような特異な挿絵の画像、例えば、説明文３３を囲む吹出し（囲みマーク）３４及びこの吹出し３４を発するピエロの画像３５が表示される。この場合、ピエロの画像３５は動画であり、左右に動くようになっている。
【００１３】
１６個のアイコン３１の各々には、ファイル属性エリア２７のデータに対応して１〜１６の番号が表示され、１〜４の番号のアイコンは反転表示されてプリセットエリアのファイルに対応することを示し、５〜１６の番号のアイコンは通常の表示でユーザエリアのファイルに対応することを示している。また、ファイルのパーツ番号が人に関するか又はものに関するかによって、黒星マーク又は白星マークが表示され、ファイルが記録されていない空きの場合には？マークが表示されている。
【００１４】
このメニュー画面に表示される説明文３３、説明用吹出し３４及びピエロの画像３５のデータはＲＯＭ２に記録されており、表示されるメニュー画面に応じて表示される内容が変化する。図８（Ａ）に説明文３３の例を示す。図７のメニュー画面の場合の説明文３３は、「どれを呼び出す？」であり、ユーザに対してアイコン選択を促すメッセージとして表示される。また、吹出し３４及びピエロの画像３５のデータは、図８（Ｃ）に示す吹出しデータ、形象データを読み込むことにより表示処理がなされる。ユーザは、説明文３３を強調するように吹出し３４及び動画のピエロの画像３５が表示されるので、画面に注目して説明文３３がアイコン選択を促す情報であると認識し、操作パッド３を操作する。
【００１５】
次いで、操作パッド３のキー操作がなされると、図６のステップＳ２２においてキー処理を判定し、操作されたキーが十字キー４である場合には、選択カーソル移動処理を行って操作に応じたアイコンの位置に選択カーソル３２を移動させ（ステップＳ２３）、ステップＳ２２のキー処理の判定に移行する。決定キー５が操作された場合には、ファイル属性データエリア２７を参照して、選択カーソル３２の位置するアイコンに対応するファイルを判定する（ステップＳ２４）。すなわち、パーツ番号データエリア２２又は２３からファイルの読み出しが可能か否かを判定する。この場合、ユーザは各アイコンのマークによって、ファイルの有無を判断することができるが、ユーザが初心者であったり、ユーザの操作ミスやマークの見落としも考えられるため、選択されたアイコンに対応するファイルについてＣＰＵ１０が判定する。
【００１６】
いま、選択カーソル３２が５の番号のアイコンを示している場合には、このアイコンに対応するエリアのファイル判定により、このエリアには何も記録されていないことを判定し、ファイルの読み出しができないので、図８（Ａ）の説明文の中の「そこにはなにもないよ」というデータを読み込んで説明用吹出し表示処理を行う（ステップＳ２５）。したがって、図９に示すように、メニュー画面の説明用吹出し３４には、「そこにはなにもないよ」という説明文３３が特徴的な吹出し３４及び動画のピエロの画像３５とともに表示される。ユーザはこの表示に注目して、選択したアイコンに対応するエリアにファイルが記録されているか否かを認識する。この場合は、説明文３３が他のアイコンを選択するように促す情報であると認識し、操作パッド３を操作する。
【００１７】
ステップＳ２４のファイル判定処理において、選択されたアイコンに対応するファイルの読み出しが可能であることを判定した場合には、図８（Ａ）の説明文の中からファイル判定に応じた説明文３３を表示させる説明用吹出し表示処理を行う（ステップＳ２６）。例えば、６の番号のアイコンが選択された場合には、画像データが人であるので、図１０に示すように、メニュー画面には、「この人でいい？」という説明文３３が特徴的な画像とともに表示される。また、８の番号のアイコンが選択された場合には、画像データがものであるので、図１１に示すように、メニュー画面には、「これでいい？」という説明文３３が特徴的な画像とともに表示される。ユーザはこの表示に注目して、操作パッド３の決定キー５又は解除キー６を操作することになる。
【００１８】
キー操作がされた場合には、そのキー処理を判定し（ステップＳ２７）、解除キー６が操作された場合には説明用吹出し表示処理を行う（ステップＳ２８）。この場合には、図７のメニュー画面となり、「どれを呼び出す？」という説明文３３が表示される。決定キー５が操作された場合には、ファイルアドレスデータエリア２４の中の選択されたアイコンに対応するエリアの先頭アドレスを参照し、そのアドレスに対応するファイルを読み込んで、そのファイルのパーツ番号をパーツ番号ストックエリア２５に記憶するファイルセットを行う（ステップＳ２９）。この場合、パーツ番号ストックエリア２５に記憶したファイルのパーツ番号に対応する各カテゴリの複数のパーツデータをパーツデータエリア２１から読み込んで、この複数のパーツデータで構成される人物等の画像データを画像データストックエリア２６に記録する。したがって、この画像データを画像データストックエリア２６から読み出して、ビデオディスプレイプロセッサ１２及びＶＲＡＭ１３を介してディスプレイ８に表示する。
【００１９】
ファイル選択処理においてファイルが呼び出された場合には、図５のパーツデータ編集処理（ステップＳ３）に移行する。
図１２にパーツデータ編集処理のプログラムのフローチャートを示す。まず、イニシャル処理を行い（ステップＳ３１）、編集処理のためのメニュー画面（図示せず）を表示する。次いで、操作パッド３の選択キー（図示せず）の操作により処理判定を行う（ステップＳ３２）。パーツ変更処理（ステップＳ３３）の場合には、パーツ番号ストックエリア２５のパーツ番号を変更する。画像印刷処理（ステップＳ３４）の場合には、画像データストックエリア２６に記録されている画像データをプリンタ１４に送出して印刷させる。また、ファイル記録処理（ステップＳ３５）の場合には、編集したファイルを記録する。
【００２０】
図１３にファイル記録処理のプログラムのフローチャートを示す。まず、イニシャル処理を行い（ステップＳ４１）、図１４に示すようなメニュー画面を表示させる。この場合、図８（Ａ）の中の「どこに記録する？」という説明文３３が特徴的な吹出し３４及び動画のピエロの画像３５とともに表示される。さらに、アイコン３１の上方の位置に警告文３６が囲みマーク３７とともに表示される。この場合、記録するパーツデータの名称である「＊＊＊＊＊＊＊＊」及び図８（Ｂ）に示すＲＯＭ２の警告データの中の「をきろくするよ」を組み合わせて、「＊＊＊＊＊＊＊＊をきろくするよ」という警告文３６が表示される。
ユーザは、特徴的な吹出し３４及び動画のピエロの画像３５が説明文３３及び警告文３６とともに表示されるので、画面に注目して説明文３３がアイコン選択を促す情報であると認識し、警告文３６が記録するパーツ番号が目的のパーツデータに関するものであることを認識し、操作パッド３を操作することになる。
【００２１】
キー操作がされた場合には、そのキー処理を判定し（ステップＳ４２）、操作されたキーが十字キー４である場合には、選択カーソル移動処理を行って操作に応じたアイコンの位置に選択カーソル３２を移動させ（ステップＳ４３）、ステップＳ４２のキー処理の判定に移行する。決定キー５が操作された場合には、選択カーソル３２が示すアイコンに対応するＲＡＭ１１のファイル属性データエリア２７を参照し、記録しようとするパーツ番号データエリア２２のエリア判定を行う（ステップＳ４４）。例えば、選択カーソル３２が１の番号のアイコンの位置にある場合には、対応するエリアがプリセットエリアであると判定して、説明用吹出し表示処理を行う（ステップＳ４５）。この場合には、図１５に示すように、図８（Ａ）の中の「そこにはきろくできないよ」という説明文３３が特徴的な画像とともに表示される。ユーザは、特徴的な画像が説明文３３及び警告文３６とともに表示されるので、画面に注目して選択したアイコンに対応するエリアが記録可能であるか否かを認識する。この場合は、説明文３３が記録不可能で他のアイコン選択を促す情報であると認識し、操作パッド３を操作することになる。
【００２２】
ステップＳ４４において選択されたアイコンに対応するエリアがユーザエリアであると判定した場合には、そのエリアにすでに別のファイルが記録されているか否かを判定する（ステップＳ４６）。例えば、選択カーソル３２が６の番号のアイコンの位置にある場合には、すでに別のファイルが対応するエリアに記録されているため、図１６に示すように、記録されている画像データの名称「＃＃＃＃＃＃＃＃」及び図８（Ｂ）に示す警告データの中の「が消えちゃうよ」を組み合わせて、「＃＃＃＃＃＃＃＃が消えちゃうよ」という警告文３６を囲みマーク３７の中に表示させ、また同時に、「これでいい？」という説明文３３を特徴的な画像とともに表示させる（ステップＳ４７）。ユーザは、特徴的な画像により画面に注目して警告文３６がファイルの消去を確認する情報であると認識し、決定キー５又は解除キー６のいずれかを操作することになる。
一方、選択カーソル３２が５の番号のアイコンの位置にある場合には、このアイコン対応するエリアにファイルが記録されていないので、図１７に示すように、「これでいい？」という説明文３３が特徴的な画像とともに表示される（ステップＳ４８）。この場合、警告文３６の内容は図１５に示す警告文３６の内容と同じであるため新たな警告表示処理は行わない。
【００２３】
次いで、キー処理の判定を行い（ステップＳ４９）、解除キー６が操作された場合には、図１４に示すメニュー画面を表示する説明用吹出し表示処理を行う（ステップＳ５０）。決定キー５が操作された場合には、パーツ番号ストックエリア２５に記録されているパーツ番号を、選択されたアイコンに対応するＲＡＭ１１のパーツ番号データエリア２３のエリア＃４に記録する（ステップＳ５１）。次いで、選択されたアイコンのマークが変化する場合には、ファイルアイコン表示処理を行う（ステップＳ５２）。例えば、５の番号のアイコンが選択された場合には、このアイコンのマークを空きを示す？マークから人を示す黒星マークに変更する。そして、図１８に示すように、警告文３６の表示を消す処理、すなわち図８（Ｂ）の表示オフの警告データを読み出す処理を行うとともに、説明用吹出し表示処理を行う（ステップＳ５３）。この場合には、「きろくできたよ」という説明文３３が特徴的な画像とともに表示される。
【００２４】
このように上記実施例によれば、選択されたアイコンに対応するパーツ番号データエリア２２又は２３の各エリアに関する説明文３３等を表示する際、この説明文３３等を強調する特徴的な画像、すなわち吹出し３４及びこの吹出し３４を発するピエロの画像３５とともに表示するので、文字等のみによる画一的な表示に比べてユーザの注意を強く喚起させ、パーツ番号データエリア２２又は２３のエリアのファイルの情報を確実に認識させることができる。
この場合において、説明文３３の表示エリアと特徴的な画像である吹出し３４の表示エリアとが重ね合わせて表示されるので、ユーザには、これらが視覚的に一体化されて認識される。したがって、説明文３３を見落とすことがない。
【００２５】
なお、上記実施例では、説明文３３等を強調する特徴的な画像を吹出し３４及び挿絵であるピエロの画像３５としたが、表示する画像としては他の特徴的な挿絵でもよく、挿絵以外の特徴的な図形であってもよく、挿絵と図形の組み合わせであってもよい。
【００２６】
また、上記実施例では、説明文３３等を強調する画像を形状に特徴があるようにしたが、アイコン３１の色彩と異なる色彩で特徴的な画像を表示してもよい。この場合には説明文３３等がより一層強調される。
【００２７】
また、上記実施例では、説明文３３等を特徴的な画像とともに表示させてユーザの注意を喚起するようにしたが、これと同時にスピーカから説明文３３等を音声により報知するようにしてもよい。この場合には、ユーザの注意を視覚的及び聴覚的に喚起することができ、より大きな効果が得られる。
【００２８】
また、上記実施例では、本体１に挿入するカセットタイプのＲＯＭ２にプログラムを記録する構成としたが、ＲＯＭを内蔵したワンチップＣＰＵを用いてその内蔵ＲＯＭにプログラムを記録する構成にしてもよい。この場合には、装置を小型化することが可能となる。
【００２９】
また、上記実施例では、本体１に一般的なテレビ受像機である外部表示装置７を接続するようにしたが、外部表示装置としてはテレビ受像機に限らず、パソコン等の表示装置に接続してもよく、本体１に表示部及びスピーカ並びに操作部を組み込んだ構成にしてもよい。本体１に表示部等を組み込んだ場合には、非常にコンパクトな装置を実現することができる。
【００３０】
【発明の効果】
この発明によれば、表示された複数の標識のうち、任意の標識が選択された場合には、その選択された標識に対応する記憶エリアに関する情報とこの情報を強調する画像とを表示するので、文字等のみによる通常の画一的な表示に比べてユーザの注意を強く喚起させ、選択した標識に対応する記憶エリアの情報を確実に認識させることができる。したがって、操作ミスから生じるトラブルを未然に防止することができる。
【図面の簡単な説明】
【図１】この発明の実施例のシステム構成を示す外観斜視図。
【図２】この発明の実施例のシステム構成を示すブロック図。
【図３】ＲＯＭ及びＲＡＭのエリアマップを示す図。
【図４】ＲＡＭのファイル属性データエリアの構成を示す図。
【図５】この実施例の動作を示すメインプログラムのフローチャート。
【図６】ファイル選択処理のプログラムのフローチャート。
【図７】ファイル選択処理におけるメニュー画面の一例を示す図。
【図８】ＲＯＭに記録されているデータの例を示し、（Ａ）は説明文の例、（Ｂ）警告文の例、（Ｃ）は吹出し等の例を示す図。
【図９】ファイル選択処理におけるメニュー画面の一例を示す図。
【図１０】ファイル選択処理におけるメニュー画面の一例を示す図。
【図１１】ファイル選択処理におけるメニュー画面の一例を示す図。
【図１２】パーツデータ編集処理のプログラムのフローチャート。
【図１３】ファイル記録処理のプログラムのフローチャート。
【図１４】ファイル記録処理におけるメニュー画面の一例を示す図。
【図１５】ファイル記録処理におけるメニュー画面の一例を示す図。
【図１６】ファイル記録処理におけるメニュー画面の一例を示す図。
【図１７】ファイル記録処理におけるメニュー画面の一例を示す図。
【図１８】ファイル記録処理におけるメニュー画面の一例を示す図。
【符号の説明】
２  ＲＯＭ
３  操作パッド
８  ディスプレイ
１０  ＣＰＵ
１１  ＲＡＭ
１２  ビデオディスプレイプロセッサ
【図１】
0003671258.tif 000002
【図２】
0003671258.tif 000003
【図３】
0003671258.tif 000004
【図４】
0003671258.tif 000005
【図５】
0003671258.tif 000006
【図６】
0003671258.tif 000007
【図７】
0003671258.tif 000008
【図９】
0003671258.tif 000009
【図８】
0003671258.tif 000010
【図１０】
0003671258.tif 000011
【図１１】
0003671258.tif 000012
【図１２】
0003671258.tif 000013
【図１３】
0003671258.tif 000014
【図１４】
0003671258.tif 000015
【図１５】
0003671258.tif 000016
【図１６】
0003671258.tif 000017
【図１７】
0003671258.tif 000018
【図１８】
0003671258.tif 000019